(57)【要約】【課題】　光ピックアップのレンズ位置決め装置を提供することを目的とする。【解決手段】　レンズホルダーをベースの載置面に密着させて位置を固定させる加圧部材を含む光ピックアップのレンズ位置決め装置であって、前記加圧部材は、ベースの支持壁に両端部が各々密着されてその支持壁間でＶ形状に曲げ変形可能に設置されるアームと、アームの両端部が支持壁に密着する方向に弾性力を加えるようにその両端部間に設けられた第１弾性部と、アームに連結されてレンズホルダーを載置面側に加圧する第２弾性部とを含んで構成される。これにより、加圧部材をＶ形状に曲げてレンズホルダーをベースに対して固定させた加圧力を解除してから調整作業を行えるために、従来より調整時の摩擦抵抗を減らすことができてより容易かつ安定した調整作業が可能になる。【選択図】　図３
2004087107.tif 000002
【特許請求の範囲】
【請求項１】
　レンズが搭載されるレンズホルダーと、前記レンズホルダーが載置されるベースと、前記レンズホルダーを前記ベース側に密着させて位置を固定させる加圧部材と、を含む光ピックアップのレンズ位置決め装置において、
　前記ベースは、前記レンズホルダーが載置される載置面とその載置面に立てられた支持壁とを具備し、
　前記加圧部材は、前記両側支持壁に両端部が各々密着されてその支持壁間で曲げ変形可能に設置されるアームと、前記アームの両端部が前記支持壁に密着される方向に弾性力を加えるようにその両端部間に設けられた第１弾性部と、前記アームに連結されて前記レンズホルダーを前記載置面側に加圧する第２弾性部とを具備することを特徴とする光ピックアップのレンズ位置決め装置。
【請求項２】
　前記第１弾性部は前記アーム中央部を中心に両側に対称に設けられたことを特徴とする請求項１に記載の光ピックアップのレンズ位置決め装置。
【請求項３】
　前記アーム両端部には固定板が設置されて、その固定板を前記支持壁に密着させることを特徴とする請求項１に記載の光ピックアップのレンズ位置決め装置。
【請求項４】
　前記レンズホルダーには、前記アームが前記第２弾性部の加圧力作用方向と反対方向に離脱しないように止めるストッパーが設けられたことを特徴とする請求項１に記載の光ピックアップのレンズ位置決め装置。
【請求項５】
　前記第２弾性部は前記アーム中央に位置して、中空円筒形弾性体構造であることを特徴とする請求項１に記載の光ピックアップのレンズ位置決め装置。
【請求項６】
　前記加圧部材は調整棒の重さによる曲げを許容することを特徴とする請求項１に記載の光ピックアップのレンズ位置決め装置。
【請求項７】
　前記加圧部材は前記第２弾性部でＶ形状に曲げることができて、前記支持壁に対する前記アーム摩擦抵抗を減らし、前記レンズホルダーに対する前記アームの加圧力を減らして前記レンズホルダーの安定した調整を可能にすることを特徴とする請求項１に記載の光ピックアップのレンズ位置決め装置。
【請求項８】
　光記録媒体の記録／再生装置において、
　レンズ位置決め装置を有する光ピックアップシステムを含み、
　前記レンズ位置決め装置は、
　レンズが搭載されるレンズホルダーと、
　前記レンズホルダーが支持される載置面と前記載置面上に対向して立てられた一対の支持壁とを有するベースと、
　前記一対の支持壁間にて該支持壁と摩擦当接するように設置され、前記レンズホルダーを前記ベース側に加圧して位置を固定させる加圧部材と、を含むことを特徴とする光記録媒体の記録／再生装置。
【請求項９】
　前記アーム両端部が前記支持壁と摩擦当接するように密着する方向に弾性力を加えるようにその両端部間に設けられた第１弾性部と、前記アームに連結されて前記レンズホルダーを前記載置面側に加圧する第２弾性部と、を具備することを特徴とする請求項８に記載の光記録媒体の記録／再生装置。
【請求項１０】
　前記アームはＶ形状に曲げることができて、前記支持壁に対する前記アーム摩擦抵抗を減らし、前記レンズホルダーに対する加圧力を減らして前記レンズホルダーの安定した調整を可能にすることを特徴とする請求項８に記載の光記録媒体の記録／再生装置。
【請求項１１】
　前記アームは前記第２弾性部でＶ形状に曲げることができて、前記支持壁に対する前記アーム摩擦抵抗を減らし、前記レンズホルダーに対する前記アーム加圧力を減らして前記レンズホルダーの安定した調整を可能にすることを特徴とする請求項９に記載の光記録媒体の記録／再生装置。
【請求項１２】
　レンズが搭載されるレンズホルダーと、
　前記レンズホルダーが支持されるベースと、
　前記レンズホルダーの位置を前記ベースに対して摩擦当接するように固定または解くことによって前記レンズの焦点を合せるアームと、を含むことを特徴とするレンズホルダー調整器。
【請求項１３】
　前記ベースに対するレンズホルダーの位置を調整しながら前記レンズの焦点を合せるために前記アームを解くようにそのアームに圧力を加えるのに使われる棒がさらに含まれることを特徴とする請求項１２に記載のレンズホルダー調整器。
【発明の詳細な説明】
【技術分野】
【０００１】
　本発明は光ピックアップに内蔵されたレンズの位置を調整して固定させるレンズ位置決め装置に関する。
【背景技術】
【０００２】
　一般的に光ピックアップには図１に示したような光学系が備えられる。図示したように光ピックアップの光学系は、所定波長の光を出射する光源３と、光源３から入射される光を０次及び±１次に分岐させるグレーティング４と、前記光源３から出射された光の進行経路を変えるプレート型ビームスプリッタ５と、光源３側から入射される発散光を平行光に変えるコリメーティングレンズ６と、光ディスク１の記録面上に光スポットを形成する対物レンズ７と、前記光ディスク１の記録面で反射されて前記対物レンズ７及びプレート型ビームスプリッタ５を順次に経由した光を受光して情報信号及び誤差信号を検出する光検出器９及び、プレート型ビームスプリッタ５と光検出器９間に位置して光検出器９に受光される光スポットのサイズを拡大する凹レンズ８とを含む。
【０００３】
　ここで前記凹レンズ８は、通常図２に示すような位置決め装置によりその位置が調整及び固定される。図示されたレンズ位置決め装置は、凹レンズ８が搭載されるレンズホルダー３０と、レンズホルダー３０を支持するベース１０と、前記ベース１０に結合されて前記レンズホルダー３０をベース１０に弾力的に密着させるスプリング部材２０とを具備する。したがって、前記レンズホルダー３０は前記スプリング部材２０の加圧片２１によりベース１０の載置面１１側に押さえられることによってその位置が固定される。この状態で凹レンズ８の位置を調整しようとする時には、図２に図示した調整棒４０をレンズホルダー３０の調整溝３１に挿入した後、矢印方向に変位させつつ光の焦点を合せる。焦点を合せた後、調整棒４０を除去すれば、前記加圧片２１が押さえ続けているためにその位置が保持される。
【０００４】
　ところで、このような構造の位置決め装置では、前記のように加圧片２１がレンズホルダー３０を載置面１１側に押さえている状態でレンズホルダー３０を摺動させつつ凹レンズ８の位置を調整しなければならないために、摩擦抵抗が大きくて調整作業がスムーズに行われない短所がある。そして、加圧片２１の加圧力が過度に大きい場合にはレンズホルダー３０が摺動されるとしても強い摩擦抵抗のために上下左右に対称が保たれずに傾いた状態に調整される場合もありうる。このようになれば、不安定に調整された状態で位置決めとなるために、これが精密な光路を形成できなくなる要因となる。
【発明の開示】
【発明が解決しようとする課題】
【０００５】
　本発明は前記のような問題点を勘案して創出されたものであって、レンズの位置調整をよりスムーズに行えるように改善された光ピックアップのレンズ位置決め装置を提供することにその目的がある。
【課題を解決するための手段】
【０００６】
　前記目的を達成するための本発明は、レンズが搭載されるレンズホルダーと、前記レンズホルダーが載置されるベースと、前記レンズホルダーを前記ベース側に密着させて位置を固定させる加圧部材とを含む光ピックアップのレンズ位置決め装置において、前記ベースは、前記レンズホルダーが載置される載置面とその載置面に立てられた支持壁とを具備し、前記加圧部材は、前記両側支持壁に両端部が各々密着されてその支持壁間で曲げ変形可能に設置されるアームと、前記アームの両端部が前記支持壁に密着される方向に弾性力を加えるようにその両端部間に設けられた第１弾性部と、前記アームに連結されて前記レンズホルダーを前記載置面側に加圧する第２弾性部とを具備することを特徴とする。
【発明の効果】
【０００７】
　本発明による光ピックアップのレンズ位置決め装置は次のような効果を有する。
　第１に、レンズホルダーを固定させる加圧力を解除した状態で調整作業を行えるために、従来より調整時の摩擦抵抗を減らすことができてより容易かつ安定した調整作業が可能になる。
【０００８】
　第２に、調整棒でアーム中央部を押さえた状態でレンズホルダーを動かした後離すだけで調整作業が完了するために作業も迅速かつ便利に行える。
【発明を実施するための最良の形態】
【０００９】
　以下、添付した図面を参照して本発明の望ましい実施例について詳細に説明する。
　図３は本発明による光ピックアップのレンズ位置決め装置を示したものである。
【００１０】
　図示されたレンズ位置決め装置は、例えば、凹レンズ８が搭載されるレンズホルダー３００と、前記レンズホルダー３００が載置されるベース１００と、前記レンズホルダー３００を前記ベース１００側に密着させて位置を固定させる加圧部材２００とを含む。ここで、前記ベース１００はレンズホルダー３００が載置される載置面１１０とその載置面１１０に立てられた支持壁１２０とを具備する。そして、前記加圧部材２００は図４に図示するように、アーム２３０と、アーム２３０の両端部に結合された固定板２４０とを含むが、前記アーム２３０の両端部は固定板２４０を通じてベース１００の両側支持壁１２０に密着する。そして、前記アーム２３０の両端部間には前記固定板２４０が前記支持壁１２０に密着する方向に弾性力を加える第１弾性部２１０が設けられており、前記アーム２３０の中央部２３１には前記レンズホルダー３００を前記載置面１１０側に加圧する第２弾性部２２０が連結されている。また、前記アーム２３０は中央部２３１を弾力的に曲げることができるために、この中央部２３１を押さえればアーム２３０が全体的にＶ形状に変形されながらその両端側固定板２４０が支持壁１２０と密着する位置から離脱する（図４参照）。参照符号３１０はアーム２３０の中央部２３１に干渉することによって加圧部材２００が元位置から離脱することを止めるストッパーを示す。
【００１１】
　前記構成を有するレンズ位置決め装置において、凹レンズ８の位置調整は次のように行われる。
【００１２】
　調整前には図３に図示したように、レンズホルダー３００が加圧部材２００によりベース１００の載置面１１０側に押さえられてその位置が固定された状態である。すなわち、加圧部材２００のアーム２３０は、両側固定板１２０が前記ベース１００の支持壁１２０に密着するように前記第１弾性部２１０の弾性力を受けているためにベース１００の支持壁１２０間に固定された状態になり、この固定されたアーム２３０を力の支持点として第２弾性部２２０がレンズホルダー３００を動かないようにベース１００の載置面１１０側に加圧している。
【００１３】
　この状態で凹レンズ８の位置を調整するためには、図５に図示するように、調整棒４００のような部材でアーム２３０の中央部２３１を押さえてアーム２３０をＶ形状に曲げる。このようになれば、前述したように両端側固定板２４０が支持壁１２０と密着する位置から離脱し、これにより、レンズホルダー３００をベース１００に固定させた支持力も消える。すなわち、レンズホルダー３００をベース１００に固定させるためには前記第２弾性部２２０がアーム２３０を力の支持点としてレンズホルダー３００を加圧せねばならないが、アーム２３０が変形されながら固定状態が解除されたためにレンズホルダー３００は載置面１１０に沿って容易に動くことができる。
【００１４】
　したがって、以後には図６に図示するように、アーム２３０の中央部２３１を押さえた状態でレンズホルダー３００を矢印方向に摺動させつつ凹レンズ８の位置を調整可能とする。そして、調整を終えた後、調整棒４００をアーム２３０の中央部２３１から離隔させれば、図７のようにアーム２３０が本来の直線状態に戻りながら前記支持壁１２０間に再び固定される。
【００１５】
　したがって、前記のような位置決め装置では調整棒４００のような物体でアーム２３０の中央部２３１を押さえて曲げた後、レンズホルダー３００をそのままベース１００の載置面１１０に沿って押えながらレンズホルダー３００の位置、すなわち、凹レンズ８の位置を調整し、調整が完了した後は調整棒４００を離しさえすれば再びレンズホルダー３００を固定させる状態に戻る。したがって、凹レンズ８の位置を調整する時にレンズホルダー３００を固定させる加圧力を解除した状態で調整が行われるために、摩擦抵抗が減って調整作業が容易かつ安定的に行われる。
【００１６】
　一方、調整作業時に前記アーム２３０の中央部２３１を調整棒４００で押さえて曲げることもできるが、アーム２３０が実際に非常に小さな部品であるために調整棒４００をすこしだけ重くすれば、その自重だけで曲げることができる。そのようになれば、中央部２３１上に調整棒４００を単に載せるだけでアーム２３０が曲げられるために、簡単にレンズホルダー３００の位置を移動させることができる。
【産業上の利用可能性】
【００１７】
　本発明は、光ピックアップのレンズ位置を調整する全てのレンズ位置決め装置に適用できる。
【図面の簡単な説明】
【００１８】
【図１】光路に沿って配置された一般的な光ピックアップの光学系を概略的に示した図面である。
【図２】従来のレンズ位置決め装置を示した図面である。
【図３】本発明によるレンズ位置決め装置を示した図面である。
【図４】図３に図示された加圧部材を抜粋して示した図面である。
【図５】図３に図示されたレンズ位置決め装置によるレンズ位置調整過程を示した図面である。
【図６】図３に図示されたレンズ位置決め装置によるレンズ位置調整過程を示した図面である。
【図７】図３に図示されたレンズ位置決め装置によるレンズ位置調整過程を示した図面である。
【符号の説明】
【００１９】
　８　凹レンズ
　１００　ベース
　１１０　載置面
　１２０　支持壁
　２００　加圧部材
　３００　レンズホルダー
　３１０　ストッパー
【図１】
2004087107.tif 000003
【図２】
2004087107.tif 000004
【図３】
2004087107.tif 000005
【図４】
2004087107.tif 000006
【図５】
2004087107.tif 000007
【図６】
2004087107.tif 000008
【図７】
2004087107.tif 000009